(57)【特許請求の範囲】
【請求項１】
基板上に設けられた固定接点と、前記基板に固定され且つ目安機構の動作に連動して前記固定接点に接離可能に弾性変形する接点板と、を備えた目覚し時計の接点機構において、
前記接点板は、その一方の端部寄りの平面中央に設けられ且つ前記基板に係合するフック部を持った舌片状折り曲げ部からなる係合部と、端部が解放された可動部と、該可動部に設けられた接触部と、を有し
前記基板は、前記係合部に適合する取付穴を有し、
前記固定接点は、前記基板の表面より突出する接点ピンからなり、
前記係合部を前記取付穴に嵌入して前記基板の裏面に前記フック部を係合させることにより、前記接点板が前記基板の表面上に付設され、前記接点ピンに前記接触部が当接して前記可動部がわん曲することにより接点圧力が設定されることを特徴とする目覚し時計の接点機構。
【発明の詳細な説明】
【０００１】
【発明の属する技術分野】
本発明は、目覚し時計の目安機構により作動されてアラーム機能を動作させる接点機構に関するものである。
【０００２】
【従来の技術】
従来のこの種の目覚し時計の接点機構は、図７に示すような構造からなるものであった。即ち、一方の端部２ａが折り曲げられて基板４に差し込まれその裏面側にて半田等で固定され、他方の端部２ｂが目安機構６の動作に連動して基板４の表面に接離するように構成された接点板２と、その端部２ｂに接触可能な位置に設けられた接点ピン８とから構成されていた。
【０００３】
この接点板２は、基板４の表面から立ち上がる立上部２ｃの先端から延びる可動部２ｄが、図８における二点鎖線で示すように予め大きく屈曲されている。このように大きく屈曲された可動部２ｄの変位量を一部押さえ込むようにして接点板２が基板４に固定されており、その変位量の押さえ込みにより端部２ｂと接点ピン８との接点圧力を設定しようとするものであった。
【０００４】
尚、接点板２の可動部２ｄをその弾性に抗して動かす目安機構６は、軸６ｃにより軸支され且つアラーム報知時刻を設定する際に外部操作に連動して回転する目安セット車６ａと、この目安セット車６ａと同じ軸６ｃにより軸支され時計輪列により回転駆動される目安伝え車６ｂとを有している。この目安セット車６ａには目安伝え車６ｂの軸方向端面に当接する凸部６ｄ，６ｅが設けられており、また目安伝え車６ｂには凸部６ｄ，６ｅに対応する凹部６ｆ，６ｇが軸方向端面に設けられている。アラーム報知時刻と現在時刻が不一致の場合、目安セット車６ａの凸部６ｄ，６ｅは目安伝え車６ｂの軸方向端面に当接した状態にあり、目安セット車６ａのアラームレバー部６ｈにより接点板２の可動部２ｄが基板４の表面から離されるように押し上げられて、接点板２の端部２ｂが接点ピン８から引き離される。また、アラーム報知時刻と現在時刻が一致すると、目安セット車６ａの凸部６ｄ，６ｅが目安伝え車６ｂの凹部６ｆ，６ｇに落ち込み、目安セット車６ａのアラームレバー部６ｈが下降し、接点板２の可動部２ｄが基板４の表面方向に戻って接点ピン８に接触する。
【０００５】
一方、上記接点板２のように予め大きく屈曲させることにより変位量が設定されているものに対し、図９に示す接点板１２のように、予め屈曲させずに組立時に接点圧力を設定しようとするものもあった。この接点板１２は、一方の端の側方に突出した部分を折り曲げて形成した足部１２ａを有し、この足部１２ａの先端を基板４に差し込んで半田等で固定することにより、可動部１２ｂが基板４の表面に一定の間隔をもって平行になるように基板４に取りつけられたものであった。
【０００６】
この接点板１２の中央付近には、舌片状の押圧部１２ｃが設けられており、ムーブメントの上板等に設けられた押さえピン２０で押圧部１２ｃを基板４の方向へ押圧することにより、可動部１２ｂを基板４に固定された接点ピン８の方向へ弾性的に付勢している。
【０００７】
【発明が解決しようとする課題】
図７に示す接点機構においては、予め接点板２の可動部２ｄを立上部２ｃに対して屈曲させなければ接点圧力を得ることができず、その曲げ角度のバラツキや、基板４に接点板２を固定するときの押さえ込みや固定時に生じる基板４からの浮き等により、接点ピン８に接触するときの接点圧力にバラツキが生じるという課題があった。
【０００８】
また、図９に示す接点機構においても、基板４に接点板１２を固定するときに生じる基板４からの浮きや可動部１２ｂの曲がり、あるいは押さえピンの高さのバラツキにより接点圧力がバラツクという課題があった。特に、この接点板１２を用いた機構においては、上板等に設けた押さえピンで接点板１２を押さえなければ接点圧力が生じないため、ムーブメントが完成状態にならなければ実際の接点圧力がわからないという課題があった。
【０００９】
本発明は、上記従来技術の課題に鑑みなされたもので、接点板の可動部に曲げや押圧等の加工を施すことなく接点圧力を確保すると共に接点圧力のバラツキがなく管理が容易な目覚し時計の接点機構を提供するものである。
【００１０】
【課題を解決するための手段】
本発明の目覚し時計の接点機構は、基板上に設けられた固定接点と、前記基板に固定され且つ目安機構の動作に連動して前記固定接点に接離可能に弾性変形する接点板と、を備えた目覚し時計の接点機構において、
前記接点板は、その一方の端部寄りの平面中央に設けられ且つ前記基板に係合するフック部を持った舌片状折り曲げ部からなる係合部と、端部が解放された可動部と、該可動部に設けられた接触部と、を有し、前記基板は、前記係合部に適合する取付穴を有し、前記固定接点は、前記基板の表面より突出する接点ピンからなり、前記係合部を前記取付穴に嵌入して前記基板の裏面に前記フック部を係合させることにより、前記接点板が前記基板の表面上に付設され、前記接点ピンに前記接触部が当接して前記可動部がわん曲することにより接点圧力が設定されるものとなっている。
【００１１】
【発明の実施の形態】
本発明の目覚し時計の接点機構における接点板は、舌片状の係合部を有し、この係合部を基板の取付穴に嵌入して基板の裏面に係合させることにより基板に固定されている。基板に固定された接点板は、基板の表面に添うように付設され、基板上に突出する接点ピンに接触部が当接することにより、可動部が持ち上げられてわん曲する。このように、わん曲した可動部の弾性により、その接触部と接点ピンとの接点圧力が確保される。また、この接点圧力は、可動部のわん曲、即ち接点ピンの高さで決定されているため、接点ピンの高さを管理するだけで、接点圧力のバラツキを最小限にすることができる。
【００１２】
【実施例】
図１は本発明の一実施例に係る目覚し時計の接点機構を示す断面図、図２はその平面図、図３は分解斜視図である。２２は接点板であり、弾性を有する薄板からなるもので、例えば金属製の薄板をプレス加工することにより形成されたものである。この接点板２２は、一方の端部２２ａ寄りの平面中央を舌片状に一部残して抜き加工して形成した窓部２２ｃと、この窓部２２ｃ内に突出する舌片状部分を折り曲げることにより形成した係合部２２ｂとを有している。この係合部２２ｂは、その先端部２２ｄが側方に張り出したフック部を有する略Ｔ字状をなしている。また、この係合部２２ｂから解放されている接点板２２の他方の端部２２ｅにかけて可動部２２ｆが設けられている。更に、端部２２ｅの後述する基板上の接点ピンに対向する面には、金等の導電性の高いメッキ等が施された接触部２２ｇが設けられている。
【００１３】
２４は導電パターン等が表裏面等に形成された基板であり、接点板２２の係合部２２ｂが嵌入可能な略Ｔ字状の取付穴２４ａを有している。この取付穴２４ａは、係合部２２ｂの幅が広い先端部２２ｄの通過が可能な嵌入部２４ｃと、係合部２２ｂの幅が狭い本体部２２ｈに適合する適合部２４ｄと、から構成されている。
【００１４】
２８は基板２４上に設けられる固定接点としての接点ピンである。この接点ピン２８は、基板２４の穴等に差し込まれて基板２４の裏面側に突き出して半田等で基板上のパターンとの接続を図ると共に固定される棒状の足部２８ａと、基板２４の表面上に突出する先端部２８ｂと、それらの間に設けられ基板２４の表面に当接して先端部２８ｂの高さを規定する足部２８ａより径が大きい規定部２８ｃと、を有している。
【００１５】
２６は前述した目安機構６と同様の構造からなる目安機構であり、軸２６ｃに同心をなすように軸支された目安セット車２６ａと目安伝え車２６ｂと、嵌脱可能な目安セット車２６ａの凸部２６ｄ，２６ｅと目安伝え車２６ｂの凹部２６ｆ，２６ｇと、から構成されている。この目安機構２６においては、目安セット車２６ａと目安伝え車２６ｂのそれぞれの回転により凸部２６ｄ，２６ｅと凹部２６ｆ，２６ｇが嵌脱し、その嵌脱によって目安セット車２６ａと共にそのアラームレバー部２６ｈが基板２４の穴２４ｂから軸方向に下降したり上昇するように構成されている。
【００１６】
上記構成からなる接点機構における接点板２２は、その係合部２２ｂを基板２４の取付穴２４ａに嵌入し、その先端部２２ｄを嵌入部２４ｃから入れて基板２４の裏面側に回り込ませる。このときに幅が広い先端部２２ｄは、取付穴２４ａの適合部２４ｄから抜けず、基板２４の裏面に係合する。このようにして基板２４の表面に取り付けられた接点板２２は、基板２４の表面に添うように基板２４上に付設されることになる。尚、基板上のパターンとの接続を図ると共に接点板２２の位置がずれないように、係合部２２ｂの先端部２２ｄを半田等で基板２４の裏面側に固着しても良い。
【００１７】
上記のように基板２４に付設された接点板２２は、その可動部２２ｆの接触部２２ｇが基板２４上に突出する接点ピン２８の先端部２８ｂに当接するように位置付けられている。このため接点板２２の可動部２２ｆは、接点ピン２８により基板２４の表面から持ち上げられるようにわん曲した状態になり、このときに生じる弾性により付勢されて接点ピン２８に設定された接点圧力で接触することになる。
【００１８】
上記のような接点板２２と接点ピン２８との接触状態は、目安機構２６のアラームレバー部２６ｈが上昇して可動部２２ｆを押し上げることにより解除され、アラームレバー部２６ｈが下降すると再び設定された接点圧力で接触することになる。
【００１９】
この接点圧力は、接点板２２の可動部２２ｆが接点ピン２８により基板２４の表面から持ち上げられてわん曲する移動量で決定されるため、接点ピン２８の基板２４の表面からの高さにより決定される。従って、接点ピン２８の高さを設定及び管理するだけで、接点板２２と接点ピン２８との接点圧力を設定及び管理することが可能となる。
【００２０】
尚、上記実施例における接点板２２を基板２４に取り付ける際に必要な係合部２２ｂと取付穴２４ａの寸法の条件は下記のようになる。即ち、図３に示すように、係合部２２ｂの先端部２２ｄの幅をｍ１、係合部２２ｂの本体部２２ｈの幅をＴ１、係合部２２ｂの折り曲げ部分から先端部２２ｄの手前までの長さをＳ１と設定し、また、取付穴２４ａの嵌入部２４ｃの幅をｍ２、取付部２４ａの幅をＴ２、取付穴２４ａの深さに当る基板２４の厚みをＳ２と設定すると、Ｔ２＜ｍ１≦ｍ２，Ｔ１≦Ｔ２，Ｓ１≧Ｓ２となるように各部の寸法を設定することが好ましい。
【００２１】
一方、接点圧力を高めるには接点ピン２８の高さをより高くすれば良いが、更に接点圧力を高めたり、あるいは接点ピン２８を高くできない場合には、接点板２２端部２２ａを曲げたり球状の打出しをここに形成することで端部２２ａの基板２４との接触圧を高め、これにより接点圧力を高めることができる。また、図４に示すように、端部２２ａを折り曲げて基板２４に差し込み、係合部２２ｂに代えてこの端部２２ａの折り曲げ部分を半田等で固定するようにしても良い。
【００２２】
又、接点板２２の可動部２２ｆの先端となる端部２２ｅを図５に示すようにスリット２２ｉを設けることにより分割し、それぞれに接触部２２ｊ，２２ｋを設けて、それらが各々基板２４上の接点ピン２８ｊ，２８ｋに接触するように構成することも可能である。このように構成することにより、信号出力の確実性を高めることができる。
【００２３】
更に、接点板２２の係合部２２ｂは、基板２４に係合可能な形状であれば他の形状でも良いものであり、例えば図６に示すような形状のものであっても良い。即ち、この係合部２２ｍは、窓部２２ｃを抜き加工する際に一様な幅の舌片状に残した部分を略コの字形状に折り曲げて形成したものである。より詳細に説明すると、この係合部２２ｍは、窓部２２ｃ内に突出する本体部２２ｎと、その折り曲げ部２２ｐと、本体部２２ｎに平行となるように更に折り曲げられたフック部を形成する先端部２２ｑと、から構成されている。
【００２４】
また、上記係合部２２ｍが嵌入される基板２４の取付穴２４ｅに関しては、前述した取付穴２４ａのように幅を広げた嵌入部２４ｃを設ける必要がなくなるため、矩形状に形成するだけで良いことになる。
【００２５】
上記のような係合部２２ｍと取付穴２４ｅの場合、係合部２２ｍの先端部２２ｑを取付穴２４ｅに嵌入して基板２４の裏面側に回り込ませ、先端部２２ｑを基板２４の裏面に係合させることにより接点板２２を基板２４に取り付ける。尚、この場合にも、基板２４の導電パターンとの接続を確保すると共に位置ずれを防止するため、係合部２２ｍの先端部２２ｑを基板２４の裏面に半田等で固定しても良い。
【００２６】
尚、上記のような係合部２２ｍと取付穴２４ｅを用いた場合の各部の寸法上の条件は、次のようになる。即ち、図６に示すように、係合部２２ｍの先端部２２ｑの長さをｋ１、本体部２２ｎ等の幅をＴ１、折り曲げ部２２ｐの高さをＳ１、取付穴２４ｅの長さをｋ２、幅をＴ２、深さをＳ２と設定すると、ｋ１≦ｋ２，Ｔ１≦Ｔ２，Ｓ１≧Ｓ２となるように設定することが好ましい。
【００２７】
【発明の効果】
本発明によれば、接点板と接点ピンとの接点圧力を、接点板を曲げて押圧することなく、接点ピンとの接触により接点板がわん曲したときの変位量だけで決めることができるため、加工容易な接点ピンの高さだけで接点圧力を設定することができる。このように、接点ピンの高さを設定、管理するだけで接点圧力を設定、管理することができるので、接点圧力のバラツキを最小限にすることができる。
【００２８】
また、接点板は、その基本的な形状用が簡単な短冊状をなすものであるため、プレス加工時の材料の持掛量が少なくてすみ、コストを低減することができる。
【図面の簡単な説明】
【図１】本発明の一実施例に係る目覚し時計の接点機構を示す断面図である。
【図２】図１に示す目覚し時計の接点機構の平面図である。
【図３】図１に示す目覚し時計の接点機構の分解斜視図である。
【図４】図１に示す接点板の端部を変更した例を示す断面図である。
【図５】図１に示す接点板の接触部を変更した例を示す平面図である。
【図６】図１に示す接点板の係合部を変更した例を示す分解斜視図である。
【図７】従来の目覚し時計の接点機構を示す断面図である。
【図８】図７に示す接点板の屈曲状態を示す断面図である。
【図９】従来の他の目覚し時計の接点機構を示す断面図である。
【符号の説明】
２２            接点板
２２ｂ，２２ｍ  係合部
２２ｆ          可動部
２４            基板
２４ａ          取付穴
２６            目安機構
２８            接点ピン
【図１】
0003612680.tif 000002
【図２】
0003612680.tif 000003
【図３】
0003612680.tif 000004
【図４】
0003612680.tif 000005
【図５】
0003612680.tif 000006
【図６】
0003612680.tif 000007
【図７】
0003612680.tif 000008
【図８】
0003612680.tif 000009
【図９】
0003612680.tif 000010